(57)【特許請求の範囲】
【請求項１】
砂または土砂を連続する帯布で長さ方向に筒状にくるんで長尺体を形成するのに、砂または土砂をくるみながら、適宜間隔で結束して節を設け、この長尺体を敷設して積み上げ、締め固めることを特徴とした補強土工法。
【請求項２】
砂または土砂を連続する帯布で長さ方向に筒状にくるんで長尺体を形成するのに、砂または土砂をくるみながら、適宜間隔で捩じりによる絞りをかけて節を設け、この長尺体を敷設して積み上げ、締め固めることを特徴とした補強土工法。
【請求項３】
砂または土砂を連続する帯布で長さ方向に筒状にくるんで長尺体を形成するのに、長尺体は、連続する帯布を長さ方向に谷折りにし、かつ、適宜間隔で区画して袋の連続体とし、この１ブロック単位の袋毎に砂または土砂を充填し、上端の合わせ目を閉じて形成し、この長尺体を敷設して積み上げ、締め固めることを特徴とした補強土工法。
【請求項４】
袋毎への砂または土砂の充填は、外周に袋の開口に係止する鍔を有し、それより下方が袋内に挿入するホッパーを用いて行う請求項３記載の補強土工法。
【発明の詳細な説明】
【０００１】
【発明の属する技術分野】
本発明は、盛土壁や築堤その他の構築物に使用す補強土の施工法に関するものである。
【０００２】
【従来の技術】
築堤、盛土壁等の補強土工法の一つとして、特公昭53-47602号公報や特開昭55-167170号などに開示されている連続繊維複合補強土工法がある。これは図10に示すように、連続繊維の糸の糸巻１を格納し、この糸巻１からの糸を送り出すガイドステー２を有する糸の供給装置３と、この供給装置３から繰り出される糸４を水タンク７から高圧ポンプ８を介して供給管９で送られる高圧水を利用して噴射ノズル５から噴射するエジェクター６とからなる繊維配設装置と、ベルトコンベア10とマテリアルホース11を有する吹付機12とからなる砂の供給装置を組み合わせる。図中13は吹付機12に圧縮空気を供給するコンプレッサー、14は高圧ポンプ８等の電源となる発電機である。
【０００３】
エジェクター６では噴射ノズル５に糸４が挿通され、この噴射ノズル５から高圧水が吐出されるとそれにつられて糸４も噴射ノズル５から噴射される。
【０００４】
一方、砂はベルトコンベア10とマテリアルホース11により前記糸４の噴出先まで搬送されて、糸４と直接噴射・混合させる。
【０００５】
このように使用する砂の0.15〜0.2 ％（乾燥重量比）程度の連続繊維（マルチフィラメント無撚糸）をジェット水と一緒に噴射、砂と三次元的に混合することで、せん断強さを増加させ、より安定した強固な土構造物（ジオファーバー）を構築することができるものである。
【０００６】
なお、使用例としては道路の擁壁や盛土のほか、法面の保護、軟弱地盤上の盛土基礎、さらに耐震および防震基礎、衝撃に対する構造物の保護、ダムのフィルター層などに幅広く適用可能である。
【０００７】
【発明が解決しようとする課題】
しかし、前記図10に示す連続繊維による補強土工法では、マテリアルホース11を空気圧送するためには砂は粘り気のないものが求められ、現地発生土（砂）はほとんど使用されていないのが現状である。
【０００８】
例えば、現地で発生する土砂を使用しようとすると、ねばり気が多くてマテリアルホース11内で詰まり、空気圧送できないという問題を生じる。このように使用する砂をわざわざ特別に調達するのでは材料費や運搬費が多くかかる。特に使用する砂等の量も膨大でそれだけに工費の高騰は著しい。なお、ポンプにより圧送する場合はこのポンプを大型にすることで前記問題に対処することも可能であるが、連続繊維による補強土工法はポンプを使用しない空気圧送であり、吹付機12に圧縮空気を供給するコンプレッサー13の能力を上げても対処しきれるものではない。
【０００９】
また、通常用いられる流動化剤を使用することも検討されるが、流動化剤を混入すると全体がどろどろとなり、空気圧送による搬送は可能であるが連続繊維（と三次元的に混合することで、せん断強さを増加させ、より安定した強固な土構造物を構築することに支障をきたす。
【００１０】
本発明の目的は前記従来例の不都合を解消し、現地発生土を自由に利用でき、しかも連続した合理的な施工が可能な補強土工法を提供することにある。
【００１１】
【課題を解決するための手段】
本発明は前記目的を達成するため、第１に、砂または土砂を連続する帯布で長さ方向に筒状にくるんで長尺体を形成するのに、砂または土砂をくるみながら、適宜間隔で結束して節を設け、この長尺体を敷設して積み上げ、締め固めることを、または、砂または土砂を連続する帯布で長さ方向に筒状にくるんで長尺体を形成するのに、砂または土砂をくるみながら、適宜間隔で捩じりによる絞りをかけて節を設け、この長尺体を敷設して積み上げ、締め固めることを要旨とするものである。
【００１２】
第２に、砂または土砂を連続する帯布で長さ方向に筒状にくるんで長尺体を形成するのに、長尺体は、連続する帯布を長さ方向に谷折りにし、かつ、適宜間隔で区画して袋の連続体とし、この１ブロック単位の袋毎に砂または土砂を充填し、上端の合わせ目を閉じて形成し、この長尺体を敷設して積み上げ、締め固めること、第３に、袋毎への砂または土砂の充填は、外周に袋の開口に係止する鍔を有し、それより下方が袋内に挿入するホッパーを用いて行うことを要旨とするものである。
【００１３】
請求項１記載の本発明によれば、砂または土砂は連続する帯布で筒状にくるんで長尺体として形成されて敷設されるので、効率良く配設することができ、しかも、マテリアルホース内を空気圧搬送することもないので、これら砂または土砂はねばりのある現地発生土でも使用可能である。さらに、砂または土砂は帯布で筒状にくるまれた状態で締め固められることで脱水も行われ、いわゆる水締めによる改善が図られる。
【００１４】
前記作用に加えて、内部に砂または土砂を取り込む帯布は帯状の平たいものを長さ方向に筒状にまるめるだけで重ね合わせ端縁を接着または縫合しないが、節を設けることでばらけないようにすることができ、連続作業に適する。
【００１５】
請求項３記載の本発明によれば、長尺体は、袋の連続体とした帯布の１ブロック単位の袋毎に砂または土砂を充填して形成するので、堅牢なものを確実に作製することができる。
【００１６】
請求項４記載の本発明によれば、前記作用に加えて、外周に袋の開口に係止する鍔を有し、それより下方が袋内に挿入するホッパーを用いることで、１ブロック単位の袋毎に砂または土砂を簡単かつ確実に充填することができる。
【００１７】
【発明の実施の形態】
以下、図面について本発明の実施の形態を詳細に説明する。図１は本発明の補強土工法の第１実施形態を示す側面図、図２は同上要部の説明図である。
【００１８】
図中21はベルトコンベアであるが、この上に端から30〜60cm程度の幅の帯布22を連続的に敷出し可能とする。図中23は帯布22の収納リールで、帯布22はロール状に巻き取られた状態で収納され、繰り出しのためのガイドリール24を経てベルトコンベア21上に至る。
【００１９】
この帯布22の材質としてはある程度の強度と透水性があれば、天然繊維、合成繊維を問わない。
【００２０】
また、ベルトコンベア21の端の部分に砂または土砂供給用のホッパー25を配置し、前記ベルトコンベア21の上に繰り出された帯布22の上に適量の砂26または土砂を撒きだすようにする。
【００２１】
さらに、ベルトコンベア21の終わり部分または多少は間隔を存して前記砂26を撒きだした帯布22をそのまま端縁22ａを長さ方向に重ねて筒状にくるむことにより長尺体28を成形する長尺体成形機27を設置する。この長尺体成形機27とは一例として暫時径の細くなる円錐形の透孔27ａ内を帯布22が通過する際に端縁22ａが上方に捲くれ上がり、そのまま相互に上下に重なるような機構を有するものが考えられる。
【００２２】
これに加えて、前記長尺体成形機27の先に長尺体28を通過させながら図３に示すように適宜間隔で結束して節28ａを設ける結束機29を設置する。かかる結束材料としては紐、針金等が好適である。
【００２３】
第２実施形態としては、この結束機29の代わりに長尺体28を通過させながら図４に示すように適宜間隔で捩じりによる絞りをかけて節28ａを設け捩じり機30を設けるようにしてもよい。このような節28ａを設けることで長尺体28は帯布22の端縁22ａを重ねただけで特別に接着または縫合しないでもばらけて内部の砂26または土砂が飛び出すことのないようになる。
【００２４】
このようにしてベルトコンベア21の上に帯布22を順次繰り出し、さらにその上にホッパー25からその内部に貯えた現地発生土による砂26または土砂を撒きだし、長尺体成形機27で順次直径10〜20cm程度の長尺体28を成形し、この長尺体28を施工箇所に敷設して積み上げる。同時に撒き土などを加えて適宜高さで締め固め、さらにその上に長尺体28の敷設・積み上げ、締め固めを繰り返して盛土壁31を築造する。
【００２５】
なお、図示の例は長尺体28を盛土壁31の厚さ方向で蛇行させて積み上げて敷設する場合について述べたが、他の実施形態として図８に示すように長尺体28は盛土壁31の長さ方向に蛇行させて積み上げるようにしてもよい。
【００２６】
さらにこのように擁壁等となる盛土壁31を築造する場合や築堤の増築の場合の他、図９に示すようにパイプライン32があってその上に補強地盤を形成する場合など種々考えられる。
【００２７】
図５は本発明の第３実施形態を示すもので、連続する帯布22は長さ方向に谷折りにし、折り返し端から１／２程度をぬい糸で縫合するか、布・テープで熱圧着するかして適宜間隔に区画して上端が開口33ａの袋33を連続的に形成する。
【００２８】
このような袋33の連続体に形成した帯布22がロール体34にしてあり、引き出して、図６に示すような外周に鍔35ａを有する漏斗形状のホッパー35の該鍔35ａを袋33の開口33ａ端に係止し、それより下方を中に挿入する。
【００２９】
そして、ベルトコンベア21で搬送される砂または土砂を前記ホッパー35を介して１ブロック単位の袋33毎に砂または土砂を充填する。図中36は必要量の砂または土砂を検知する土量測定センサーであり、例えばホッパー35の下端に設けておいて、これが砂または土砂の充填を検知した場合に、ホッパー35を引き抜き、帯布22を移動して袋33の位置をずらして隣の袋33の充填に備える。
【００３０】
移動した袋33は縫合機37で開口33ａを縫うか、もしくは布・テープで熱圧着して閉じ、図７に示すように砂または土砂充填の数珠繋ぎの袋33の集合で長尺体28を形成した。
【００３１】
前記長尺体28は第１、第２実施形態と同じく、施工箇所に敷設して積み上げ、同時に撒き土などを加えて適宜高さで締め固め、さらにその上に長尺体28の敷設・積み上げ、締め固めを繰り返して盛土壁31等を築造する。
【００３２】
【発明の効果】
以上述べたように本発明の補強土工法は、現地発生土を自由に利用でき、しかも連続した合理的な施工が可能なものである。
【図面の簡単な説明】
【図１】  本発明の補強土工法の第１実施形態を示す側面図である。
【図２】  本発明の補強土工法の第１実施形態を示す要部の説明図であ
【図３】  第１実施形態における長尺体の正面図である。
【図４】  第２実施形態における長尺体の正面図である。
【図５】  本発明の補強土工法の第３実施形態を示す説明図である。
【図６】  本発明の補強土工法の第３実施形態を示す要部の斜視図である。
【図７】  第３実施形態における長尺体の正面図である。
【図８】  本発明による盛土壁の他例を示す縦断側面図である。
【図９】  本発明の他の使用例を示す縦断側面図である。
【図10】  従来例を示す説明図である。
【符号の説明】
１…糸巻                          ２…ガイドステー
３…供給装置                      ４…糸
５…噴射ノズル                    ６…エジェクター
７…水タンク                      ８…高圧ポンプ
９…供給管                        10…ベルトコンベア
11…マテリアルホース              12…吹付機
13…コンプレッサー                14…発電機
21…ベルトコンベア                22…帯布
22ａ…端縁
23…収納リール                    24…ガイドリール
25…ホッパー                      26…砂
27…長尺体成形機                  27ａ…透孔
28…長尺体                        28ａ…節
29…結束機                        30…捩じり機
31…盛土壁                        32…パイプライン
33…袋                            33ａ…開口
34…ロール体                      35…ホッパー
35ａ…鍔                          36…土量測定センサー
37…縫合機
【図１】
0003834371.tif 000002
【図２】
0003834371.tif 000003
【図３】
0003834371.tif 000004
【図４】
0003834371.tif 000005
【図５】
0003834371.tif 000006
【図６】
0003834371.tif 000007
【図７】
0003834371.tif 000008
【図８】
0003834371.tif 000009
【図９】
0003834371.tif 000010
【図１０】
0003834371.tif 000011